(57)【特許請求の範囲】
【請求項１】
データを記録媒体に記録する一方、上記記録媒体に記録されているデータを読み出して再生するとともに、上記記録媒体に記録されているデータのアドレスデータを検出可能な記録再生装置において、
記憶手段と、
アドレスを設定する操作子と、
アドレス変更の操作子と、
アドレス設定について確認する操作子と、
上記記録媒体に記録されているデータの再生中に、上記アドレス設定操作子が操作されたときには、当該アドレス設定操作子が操作されたときの再生中の再生データについての上記記録媒体におけるアドレスデータを取り込み、当該アドレスデータに対応するマーカを上記記憶手段上のアドレスデータの位置に設定し、上記アドレス変更の操作子が操作されたときには、当該操作に応動して上記マーカの位置を前後に移動させてマーカの位置に対応する上記記憶手段上のアドレスデータを更新するとともに、アドレス設定確認操作子が操作されたときには、上記更新されたマーカの位置を示す上記記憶手段上のアドレスデータに対応する記録媒体上のアドレスデータを上記記録媒体に記録させ、上記アドレス設定操作子の操作によりマーカが設定されたとき、当該マーカ設定位置前後のデータを循環的に再生させ、上記アドレス設定操作子の操作によりマーカが設定される毎に、循環的に再生させる範囲を縮小させる制御手段と
を備えることを特徴とする記録再生装置。
【発明の詳細な説明】
【技術分野】
【０００１】
本発明は記録再生装置に関し、例えばデイスク状記録媒体から記録情報を再生するデイスク記録再生装置に適用し得る。
【背景技術】
【０００２】
従来、コンパクトデイスクプレイヤ等のデイスク再生装置においては、デイスク状記録媒体に光ビームを照射し、その反射光ビームに基づいて記録情報を再生し得るようになされている。
【０００３】
このコンパクトデイスクプレイヤにおいては、再生データをリアルタイムで処理することにより、出力信号の伝送速度に対応して記録情報を再生し得るようになされている。
【発明の開示】
【発明が解決しようとする課題】
【０００４】
ところがコンパクトデイスクプレイヤにおいては、再生データをリアルタイムで処理することにより、外部振動等で光ヘツドがトラツクジヤンプすると、いわゆる音飛びする欠点がある。
【０００５】
この場合大容量のバツフアメモリを介して再生データを処理することにより、音飛びを有効に回避し得ると考えられる。
【０００６】
すなわちこの方法は、記録媒体から得られる再生データを大容量のバツフアメモリに高速度で格納した後、出力信号の伝送速度に対応してこの再生データを処理する方法で、バツフアメモリに再生データを格納する際、この再生データを記録順に、かつ間欠的に格納する。
【０００７】
このようにすればバツフアメモリに格納した再生データを完全に処理する期間を利用して、トラツクジヤンプにより失われた再生データを繰り返し再生し得、これにより音飛びを有効に回避することができる。
【０００８】
ところがこの方法の場合、記録媒体から得られた再生データは、バツフアメモリの容量で決まる時間だけ遅延して出力されることになる。
【０００９】
このためバツフアメモリを介して再生データを処理する場合、コンパクトデイスクプレイヤのようにリアルタイムで再生データを処理する場合に比して、簡易に編集点等を設定するのが困難な問題がある。
【００１０】
すなわちリアルタイムで再生データを処理する場合においては、例えばスタートＩＤを仮設定した場合、再生動作を繰り返すことにより、このスタートＩＤの位置が所望の位置か否か即座に確認することができ、このスタートＩＤを変更する場合でも、簡易に変更することができる。
【００１１】
これに対してバツフアメモリを介して再生データを処理する場合、スタートＩＤを確認するために、バツフアメモリの分だけ余分に再生データを処理する必要があり、繰り返し再生してスタートＩＤを設定する場合等においては、操作が煩雑になる欠点がある。
【００１２】
本発明は以上の点を考慮してなされたもので、バツフアメモリを介して再生データを処理する場合でも、簡易にスタートＩＤ等を設定することができる記録再生装置を提案しようとするものである。
【課題を解決するための手段】
【００１３】
かかる課題を解決するため本発明においては、データを記録媒体２２に記録する一方、記録媒体２２に記録されているデータを読み出して再生するとともに、記録媒体２２に記録されているデータのアドレスデータを検出可能な記録再生装置１において、記憶手段６と、記録媒体２２に記録されているデータの再生中に、アドレスを設定する操作が実行されたときには、当該アドレス設定操作が実行されたときの再生中の再生データについての記録媒体２２におけるアドレスデータを取り込み、当該アドレスデータに対応する記憶手段６上のアドレスデータの位置にマーカＭを設定し、アドレス変更の操作が実行されたときには、当該操作に応動してマーカＭの位置を前後に移動させてマーカＭの位置に対応する記憶手段６上のアドレスデータを更新するとともに、アドレス設定確認操作が実行されたときには、更新されたマーカＭの位置を示す記憶手段６上のアドレスデータに対応する記録媒体２２上のアドレスデータを記録媒体２２に記録させる制御手段１２と、アドレスを設定する操作子１６と、アドレス変更の操作子１６と、アドレス設定について確認する操作子１６と、記録媒体１２に記録されているデータの再生中に、アドレス設定操作子１６が操作されたときには、当該アドレス設定操作子１６が操作されたときの再生中の再生データについての記録媒体２２におけるアドレスデータを取り込み、当該アドレスデータに対応するマーカＭを記憶手段６上のアドレスデータの位置に設定し、アドレス変更の操作子１６が操作されたときには、当該操作に応動してマーカＭの位置を前後に移動させてマーカＭの位置に対応する記憶手段６上のアドレスデータを更新するとともに、アドレス設定確認操作子１６が操作されたときには、更新されたマーカＭの位置を示す記憶手段６上のアドレスデータに対応する記録媒体２２上のアドレスデータを記録媒体２２に記録させ、アドレス設定操作子１６の操作によりマーカＭが設定されたとき、当該マーカ設定位置前後のデータを循環的に再生させ、アドレス設定操作子１６の操作によりマーカＭが設定される毎に、循環的に再生させる範囲を縮小させる（図３（Ｄ））制御手段１２とを設ける。
【発明の効果】
【００１４】
本発明によれば、マーカＭの位置を最終決定するまでの期間は、記憶手段６におけるアドレスデータに基づいてマーカＭの位置を決定し、決定後、記憶手段６上のアドレスデータから記録媒体２２におけるアドレスデータに変換して記録媒体２２に、循環的再生させる範囲を縮小させるようにして、記録させることにより、編集点設定時における記録媒体２２への不要な再生動作させないようにできる。
【発明を実施するための最良の形態】
【００１５】
以下図面について、本発明の一実施の形態を詳述する。
【００１６】
（１）実施の形態の構成
図１において、１は全体として光磁気デイスク装置を示し、デイスク状記録媒体を使用してデイジタルオーデイオ信号を記録再生する。
【００１７】
すなわち光磁気デイスク装置１においては、記録時、オーデイオ信号Ａｉｎをアナログデイジタル変換回路（Ａ／Ｄ）２に与え、ここでデイジタル信号に変換した後、デコーダエンコーダ４に出力する。
【００１８】
デコーダエンコーダ４は、記録時、入力されたデイジタル信号を圧縮処理した後、誤り訂正用符号等を付加して所定フオーマツトで出力する。
【００１９】
バツフアメモリ６は、デコーダエンコーダ４の出力データを順次取り込むと共に、この出力データが所定量以上蓄積されると、この出力データを入力データの４倍の伝送速度で出力する。
【００２０】
これによりバツフアメモリ６は、伝送速度を変換して、入力されたデータを間欠的に出力するようになされている。
【００２１】
このデータ出力の際、トラツクジヤンプ等の異常が発生すると、バツフアメモリ６は、所定期間経過後、出力データを再出力し、これによりトラツクジヤンプ等の異常により出力データを記録し得ない場合、この出力データを再記録し得るようになされている。
【００２２】
データ処理回路８は、バツフアメモリ６の出力データについて、インターリーブ処理等を実行した後、アドレスデータを付加して出力する。
【００２３】
デイスク駆動回路１０は、光磁気デイスクを高速度で回転駆動すると共に、データ処理回路８の出力データに応じて変調磁界形成用の磁気ヘツドを駆動する。
【００２４】
さらにデイスク駆動回路１０は、所定のタイミングで光ビームを照射し、これによりデータ処理回路８の出力データを熱磁気記録する。
【００２５】
このときデイスク駆動回路１０は、予め光磁気デイスク上に形成されたプリグルーブをモニタすることにより、トラツクジヤンプ等の異常を検出し、この検出結果をシステムコントローラ１２に出力する。
【００２６】
これによりシステムコントローラ１２においては、トラツクジヤンプ等の異常が発生すると、バツフアメモリ６及びデータ処理回路８に制御データを出力して記録データを再出力するのに対し、デイスク駆動回路１０については制御データを出力して異常状態から復帰する。
【００２７】
これにより光磁気デイスク装置１においては、振動等の激しい場所でも、安定にオーデイオ信号Ａｉｎを記録し得るようになされている。
【００２８】
これに対してインターフエース回路１４を介してキー操作子（ＫＥＹ）１６が操作されたことが検出されると、システムコントローラ１２は、各回路ブロツクに制御データを出力し、これにより全体の動作モードを切り換える。
【００２９】
さらにシステムコントローラ１２は、インターフエース回路１４を介して表示装置（ＤＳＰ）１８の表示を切り換え、これにより動作モード、記録再生時間等を表示する。
【００３０】
ここで再生モードになると、デイスク駆動回路１０は、記録時と同様に光磁気デイスクを回転駆動した状態で光量を低減して光ビームを照射し、光磁気デイスクの反射光ビームを検出する。
【００３１】
さらにデイスク駆動回路１０は、反射光ビームの検出結果に基づいて再生データを生成し、データ処理回路８を介してこの再生データをバツフアメモリ６に格納する。
【００３２】
このときデイスク駆動回路１０は、同一の記録トラツクを繰り返し再生すると共に、バツフアメモリ６のデータ蓄積量をモニタしながら再生データを間欠的に出力し、これによりトラツクジヤンプした場合でも、バツフアメモリ６に蓄積した再生データの処理が完了するまでの期間を利用して必要な再生データを繰り返し再生するようになされている。
【００３３】
データ処理回路８は、記録時とは逆に再生データを処理して出力するのに対して、バツフアメモリ６は、入力データの伝送速度に対して、出力データの伝送速度を１／４に低減して出力する。
【００３４】
さらにバツフアメモリ６は、間欠的に入力データを取り込むのに対し、出力データを連続的に出力し、これにより入出力データのレートを変換して出力する。  デコーダエンコーダ４は、再生時、記録時とは逆にデータを処理し、これにより誤り訂正処理、データ伸長処理を実行してデイジタルオーデイオ信号を復調する。
【００３５】
デイジタルアナログ変換回路（Ｄ／Ａ）２０は、デコーダエンコーダ４の出力データをアナログ信号に変換して出力し、これにより光磁気デイスク装置１においては、光磁気デイスクを再生してオーデイオ信号Ａｏｕｔを出力し得るようになされている。
【００３６】
この再生時、キー操作子１６が操作されて編集モードになると、システムコントローラ１２は、続くキー操作子１６の操作をモニタし、ここでマーカの操作子が押圧操作されると、図２に示す処理手順を実行する。
【００３７】
すなわち図３に示すようにシステムコントローラ１２は、ステツプＳＰ１からステツプＳＰ２に移り、ここでデイスク駆動回路１０及びデータ処理回路８に制御信号を出力し、マーカの操作子が押圧操作された時点における再生中の再生データを基準にして（図３（Ａ））、その近傍の再生データをバツフアメモリ６に格納する（図３（Ｂ））。
【００３８】
このときバツフアメモリ６においては、光磁気デイスク上の絶対アドレスに対応してアドレス情報が割当てられるようになされ、これにより光磁気デイスク装置１においては、バツフアメモリ６上で再生データを指定して、光磁気デイスク上の対応する位置を検出し得るようになされている。
【００３９】
続いてシステムコントローラ１２は、ステツプＳＰ３に移り、バツフアメモリ６に格納した再生データについて、デコーダエンコーダ４に出力を開始した後、ステツプＳＰ４に移る。
【００４０】
ここでシステムコントローラ１２は、キー操作子１６をモニタしながらバツフアメモリ６に格納した再生データを順次循環的に出力し、マーカ設定の操作子が押圧操作されると、この押圧操作のタイミングを検出してマーカＭを設定する（図３（Ｃ））。
【００４１】
すなわちシステムコントローラ１２は、マーカ設定の操作子が押圧操作された時点で、再生中の再生データについてアドレスデータを取り込み、これによりバツフアメモリ６上でマーカを設定する。
【００４２】
続いてシステムコントローラ１２は、ステツプＳＰ５に移り、ここでマーカの設定位置を再生ポイントＰに設定した後、再生ポイントＰの前後の再生データをバツフアメモリ６から順次循環的に出力する（図３（Ｄ））。
【００４３】
この状態でマーカ変更の操作子が押圧操作されると、システムコントローラ１２は、この操作子の操作に応動してマーカＭの位置を前後に移動させる。
【００４４】
さらにシステムコントローラ１２は、マーカの更新に伴つて再生ポイントＰを更新した後、所定期間経過すると、ステツプＳＰ６に移る。
【００４５】
ここでシステムコントローラ１２は、マーカ設定についての確認の操作子が押圧操作されたか否か判断し、ここで否定結果が得られると、ステツプＳＰ７に移り、バツフアメモリ６の内容を更新する。
【００４６】
因に、この実施例においては、マーカの設定位置を棒グラフ状に表示するようになされ、これによりマーカ設定位置を簡易に確認し得るようになされている。
【００４７】
このときシステムコントローラ１２は、それまでバツフアメモリ６に格納されていた再生データに代えて、その直前の再生データを一部重複するようにバツフアメモリ６に格納した後、ステツプＳＰ４に移つて、処理手順を繰り返す。
【００４８】
これに対してシステムコントローラ１２は、確認の操作子が押圧操作されると、ステツプＳＰ６において肯定結果が得られることにより、ステツプＳＰ８に移り、ここでマーカＭの位置を内蔵のメモリ回路に格納する（図３（Ｅ））。
【００４９】
このときシステムコントローラ１２においては、バツフアメモリ６上のアドレスデータに基づいて、光磁気デイスク２２上の対応するアドレスデータを検出し、このアドレスデータをマーカＭの位置としてメモリ回路に格納する。
【００５０】
かくしてバツフアメモリ６上でマーカＭを設定した後、このマーカＭを基準にして対応する光磁気デイスク２２上のアドレスデータを検出することにより、いちいち光磁気デイスク２２を再生しなくても、簡易にマーカを設定することができる。
【００５１】
かくしてシステムコントローラ１２においては、このアドレスデータをスタートＩＤとして用いて、頭出し、編集作業等を実行し得るようになされ、アドレスデータをメモリ回路に格納すると、ステツプＳＰ９に移つて処理手順を終了する。
【００５２】
（２）実施の形態の効果
以上の構成によれば、バツフアメモリ６上でマーカＭを設定した後、光磁気デイスク２２上の対応するアドレスデータを検出してスタートＩＤを設定することにより、いちいち光磁気デイスク２２を再生しなくてもスタートＩＤを設定変更し得、これによりバツフアメモリ６を介して再生データを処理する場合でも、簡易にスタートＩＤを設定することができる。
【００５３】
（３）他の実施の形態
なお上述の実施の形態においては、システムコントローラに内蔵されたメモリ回路にスタートＩＤを記録する場合について述べたが、本発明はこれに限らず、光磁気デイスクの最内周に設けられたデイスク管理用のデータ記録領域に記録するようにしてもよい。
【００５４】
すなわちこの種の光磁気デイスクにおいては、このデータ記録領域にユーザトツクエリアが割当てられ、このユーザトツクエリアのリザーブ用領域にスタートＩＤを記録することができ、この場合再生開始時にこのスタートＩＤを取り込むことにより、このスタートＩＤに従つて頭出し等、再生データを処理することができる。
【００５５】
またこれに代え、ユーザトツクエリアのスタートアドレス、エンドアドレスを直接更新するようにしてもよく、この場合スタートアドレス、エンドアドレスを利用してリピート再生することもできる。
【００５６】
さらに上述の実施の形態においては、スタートＩＤを設定する場合について述べたが、本発明はこれに限らず、編集処理の基準位置を設定する場合等に広く適用することができる。
【００５７】
さらに上述の実施の形態においては、光磁気デイスクを再生する場合について述べたが、本発明はこれに限らず、大容量のバツフアメモリを介して、所望の記録媒体を再生する再生装置に広く適用することができる。
【産業上の利用可能性】
【００５８】
デイスク状記録媒体を有するデイスク記録再生装置に利用できる。
【図面の簡単な説明】
【００５９】
【図１】本発明の一実施の形態による光磁気デイスク装置を示すブロツク図である。
【図２】その動作の説明に供するフローチヤートである。
【図３】その動作の説明に供する略線図である。
【符号の説明】
【００６０】
１……光磁気デイスク装置、６……バツフアメモリ、１０……デイスク駆動回路、１２……システムコントローラ。
【図１】
0003651803.tif 000002
【図２】
0003651803.tif 000003
【図３】
0003651803.tif 000004